(57)【特許請求の範囲】
【請求項１】
(a) 中心軸の周りを一周する外周面を有する構造物を準備する工程と、
(b) シートを準備する工程と、
(c) 保持面を有するテーブルを準備する工程と、
(d) 前記中心軸を鉛直方向と平行にする工程と、
(e) 前記シートを水平にする工程と、
(f) 前記保持面を鉛直方向上方に向ける工程と、
(g) 前記シートを水平にした状態及び前記保持面を鉛直方向上方に向けた状態を維持したまま前記シートを前記保持面に保持させる工程と、
(h) 前記シートを前記保持面に保持させた状態を維持したまま前記保持面を水平方向に向ける工程と、
(i) 前記中心軸を鉛直方向と平行にした状態、前記シートを前記保持面に保持させた状態及び前記保持面を水平方向に向けた状態を維持したまま前記シートの巻き始め端を前記外周面に接合する工程と、
(j) 前記巻き始め端を前記外周面に接合した後に前記中心軸を鉛直方向と平行にした状態及び前記保持面を水平方向に向けた状態を維持したまま前記中心軸の周りに前記構造物を回転させ、前記シートを前記保持面から剥がしながら前記シートを前記外周面に巻き付け、前記構造物及び前記シートを備え前記シートが前記外周面に巻き付けられた巻き付け体を得る工程と、
を備える巻き付け体を生産する方法。
【請求項２】
前記テーブルは、
前記シートを定位置に配置する位置決め構造
を備える請求項１の巻き付け体を生産する方法。
【請求項３】
前記シートは、矩形状であり、互いに隣接する第１の辺及び第２の辺を有し、
前記位置決め構造は、前記保持面から突出し、前記シートが定位置に配置された場合に前記第１の辺及び前記第２の辺に当たる
請求項２の巻き付け体を生産する方法。
【請求項４】
前記位置決め構造は、前記シートが前記保持面に保持され前記保持面が水平方向に向けられた場合に前記第１の辺が水平方向と平行になるように前記シートを定位置に配置する
請求項３の巻き付け体を生産する方法。
【請求項５】
(k) 前記シートを前記外周面に巻き付ける前に、前記巻き始め端を前記外周面に接合する接合媒体を前記シート又は前記構造物に付加する工程
をさらに備える請求項１から４までのいずれかの巻き付け体を生産する方法。
【請求項６】
前記接合媒体が両面テープである
請求項５の巻き付け体を生産する方法。
【請求項７】
前記接合媒体が第１の接合媒体であり、
前記シートが一方の主面及び他方の主面を有し、
前記シートの周回数が一周より多く、
(l) 前記シートを前記外周面に巻き付ける前に、前記シートの巻き終わり端を前記他方の主面に接合する第２の接合媒体を前記一方の主面に付加する工程
をさらに備える請求項５又は６の巻き付け体を生産する方法。
【請求項８】
前記接合媒体が第１の接合媒体であり、
前記シートの周回数が一周以下であり、
(m) 前記シートを前記外周面に巻き付ける前に、前記シートの巻き終わり端を前記外周面に接合する第２の接合媒体を前記シート又は前記構造物に付加する工程
をさらに備える請求項５又は６の巻き付け体を生産する方法。
【請求項９】
前記第２の接合媒体が両面テープである
請求項７又は８の巻き付け体を生産する方法。
【請求項１０】
請求項１の巻き付け体を生産する方法にしたがって前記構造物として発熱体を用い前記シートとして１枚目のシートを用いて前記巻き付け体を得ることにより、第１の巻き付け体を得る工程と、
２以上ｎ以下の自然数ｉの各々について、請求項１の巻き付け体を生産する方法にしたがって前記構造物として第ｉ−１の巻き付け体を用い前記シートとしてｉ枚目のシートを用いて前記巻き付け体を得ることにより、第ｉの巻き付け体を得る工程と、
を備える多重巻き付け体を生産する方法。
【請求項１１】
１枚目のシートからｎ枚目のシートまでの各々が、断熱マイカシート、耐熱カーボンシート又は絶縁マイカシートであり、
１枚目のシートからｎ枚目のシートまでが、少なくとも１枚の断熱マイカシートを含み、少なくとも１枚の耐熱カーボンシートを含み、少なくとも１枚の絶縁マイカシートを含む
請求項１０の多重巻き付け体を生産する方法。
【発明の詳細な説明】
【技術分野】
【０００１】
本発明は、構造物の外周面へのシートの巻き付けに関する。
【背景技術】
【０００２】
電気エネルギーを熱エネルギーに変換する発熱体が円筒状である場合は、発熱体から外部に熱が伝わることを阻害するために、発熱体の外周面に断熱シートが巻き付けられる場合がある。また、発熱体が外部と導通することを阻害するために、発熱体の外周面に絶縁シートが巻き付けられる場合もある。特許文献１に記載された技術は、その一例である。
【先行技術文献】
【特許文献】
【０００３】
【特許文献１】特開２０１４−１３５１５７号公報
【発明の概要】
【発明が解決しようとする課題】
【０００４】
発熱体の外周面に巻き付けられるシートは、可撓性を有する。このため、発熱体の外周面に巻き付けられるシートは、望ましくは、巻き付けに先立って、水平面に載せられた状態で待機させられ、水平にされた状態で待機させられる。
【０００５】
一方、円筒状の発熱体を立てたままにすること、すなわち、円筒状の発熱体の中心軸を鉛直方向と平行にすることが望まれる場合がある。例えば、他の工程において円筒体を立てたまま作業を行う必要があるために、発熱体の外周面にシートを巻き付ける場合にも他の工程と同様に円筒体を立てたまま作業を行うことが望まれる場合がある。
【０００６】
このようにシートが水平にされた状態で待機させられ円筒状の発熱体が立てられた場合は、シートを発熱体の外周面に巻き付けるときにシートの姿勢を変更する必要がある。しかし、そのような姿勢の変更は、シートの損傷の原因になりやすい。
【０００７】
この問題は、熱を発生させることを目的として電気エネルギーを熱エネルギーに変換する発熱体以外の円筒状の構造物の外周面にシートが巻き付けられる場合にも生じる。
【０００８】
本発明は、この問題を解決するためになされる。本発明が解決しようとする課題は、中心軸が鉛直方向に平行にされた構造物の外周面に水平にされたシートを巻き付ける場合にシートの損傷を抑制することである。
【課題を解決するための手段】
【０００９】
本発明は、巻き付け体を生産する方法に向けられる。巻き付け体は、構造物及びシートを備える。巻き付け体においては、シートが構造物の外周面に巻き付けられる。
【００１０】
中心軸の周りを一周する外周面を有する構造物が準備され、構造物の中心軸が鉛直方向と平行にされる。また、シートが準備され、シートが水平にされる。さらに、保持面を有するテーブルが準備され、テーブルの保持面が鉛直方向上方に向けられる。
【００１１】
続いて、シートを水平にした状態及びテーブルの保持面を鉛直方向上方に向けた状態を維持したままシートがテーブルの保持面に保持させられる。
【００１２】
続いて、シートをテーブルの保持面に保持させた状態を維持したままテーブルの保持面が水平方向に向けられる。
【００１３】
続いて、構造物の中心軸を鉛直方向と平行にした状態、シートをテーブルの保持面に保持させた状態及びテーブルの保持面を水平方向に向けた状態を維持したままシートの巻き始め端が構造物の外周面に接合される。
【００１４】
シートの巻き始め端を構造物の外周面に接合した後に構造物の中心軸を鉛直方向と平行にした状態及びテーブルの保持面を水平方向に向けた状態を維持したまま構造物の中心軸の周りに構造物を回転させ、シートをテーブルの保持面から剥がしながらシートを構造物の外周面に巻き付ける。これにより、巻き付け体が得られる。
【発明の効果】
【００１５】
本発明によれば、水平にされたシートを中心軸が鉛直方向に平行にされた構造物の外周面に巻き付ける場合にシートの損傷が抑制される。
【００１６】
これらの及びこれら以外の本発明の目的、特徴、局面及び利点は、添付された図面とともに下記の発明の詳細な説明を考慮することにより、さらに明白になる。
【図面の簡単な説明】
【００１７】
【図１】多重巻き付け体を生産する方法を示す模式図である。
【図２】多重巻き付け体を示す模式図である。
【図３】巻き付け装置を示す模式図である。
【図４】テーブルを示す模式図である。
【図５】テーブルの配置を示す模式図である。
【図６】テーブルの配置を示す模式図である。
【図７】テーブルの配置を示す模式図である。
【図８】テーブルの配置を示す模式図である。
【図９】巻き始め端、巻き終わり端等を示す模式図である。
【図１０】巻き始め端、巻き終わり端等を示す模式図である。
【発明を実施するための形態】
【００１８】
１  多重巻き付け体の生産
図１は、多重巻き付け体を生産する方法を示す模式図である。図２は、多重巻き付け体を示す模式図であり、断面図である。
【００１９】
多重巻き付け体１０００が生産される場合は、図１に示されるように、発熱体１０２０、断熱マイカシート１０２１、断熱マイカシート１０２２、耐熱カーボンシート１０２３及び絶縁マイカシート１０２４が準備される。
【００２０】
発熱体１０２０は、電気エネルギーを熱エネルギーに変換する。発熱体１０２０においては、熱を発生させることを目的として電気エネルギーが熱エネルギーに変換される場合もあるし、熱を発生させることを目的としないが損失等により電気エネルギーが熱エネルギーに変換されてしまう場合もある。
【００２１】
発熱体１０２０の外周面１０４０には断熱マイカシート１０２１が巻き付けられ、第１の巻き付け体１０８０が得られる。断熱マイカシート１０２１は、発熱体１０２０の外周面１０４０を２周する。周回数が２周から増減されてもよい。
【００２２】
第１の巻き付け体１０８０の外周面１１００には断熱マイカシート１０２２が巻き付けられ、第２の巻き付け体１１２０が得られる。断熱マイカシート１０２２は、第１の巻き付け体１０８０の外周面１１００を２周する。周回数が２周から増減されてもよい。
【００２３】
第２の巻き付け体１１２０の外周面１１４０には、耐熱カーボンシート１０２３が巻き付けられ、第３の巻き付け体１１６０が得られる。耐熱カーボンシート１０２３は、第２の巻き付け体１１２０の外周面１１４０を２周する。周回数が２周から増減されてもよい。
【００２４】
第３の巻き付け体１１６０の外周面１１８０には、絶縁マイカシート１０２４が巻き付けられ、第４の巻き付け体１２００が得られる。絶縁マイカシート１０２４は、第３の巻き付け体１１６０の外周面１１８０を２周する。周回数が２周から増減されてもよい。これにより、図２に示される巻き付け構造を有する多重巻き付け体１０００が生産される。
【００２５】
断熱マイカシート１０２１及び１０２２は、発熱体１０２０から多重巻き付け体１０００の外部に熱が伝わることを阻害する。耐熱カーボンシート１０２３は、発熱体１０２０から多重巻き付け体１０００の外部に火炎が進行することを阻害する。絶縁マイカシート１０２４は、発熱体１０２０が多重巻き付け体１０００の外部と導通することを阻害する。
【００２６】
多重巻き付け体１０００の用途に応じて巻き付けられるシートは変化する。このため、多重巻き付け体１０００の用途によっては、断熱マイカシート１０２１、断熱マイカシート１０２２、耐熱カーボンシート１０２３及び絶縁マイカシート１０２４の一部の巻き付けが省略されてもよい。また、多重巻き付け体１０００の用途によっては、断熱マイカシート１０２１、断熱マイカシート１０２２、耐熱カーボンシート１０２３及び絶縁マイカシート１０２４以外のシートの巻き付けが行われてもよい。例えば、追加の断熱マイカシート、追加の耐熱カーボンシート、追加の絶縁マイカシート、防水シート、衝撃吸収シート、装飾シート等の巻き付けが行われてもよい。断熱マイカシート１０２１、断熱マイカシート１０２２、耐熱カーボンシート１０２３及び絶縁マイカシート１０２４の巻き付けの順序が変更されてもよい。
【００２７】
２  巻き付け装置の用途
図３は、巻き付け装置を示す模式図であり、斜視図である。図４は、巻き付け装置が備えるテーブルを示す模式図であり、斜視図である。
【００２８】
図３に示される巻き付け装置１３００は、断熱マイカシート１０２１を発熱体１０２０の外周面１０４０に巻き付ける作業、断熱マイカシート１０２２を第１の巻き付け体１０８０の外周面１１００に巻き付ける作業、耐熱カーボンシート１０２３を第２の巻き付け体１１２０の外周面１１４０に巻き付ける作業、及び、絶縁マイカシート１０２４を第３の巻き付け体１１６０の外周面１１８０に巻き付ける作業を自動化するために準備される。巻き付け装置１３００が行う処理の全部又は一部が手作業で行われてもよい。
【００２９】
断熱マイカシート１０２１を発熱体１０２０の外周面１０４０に巻き付ける作業を自動化するために巻き付け装置１３００が準備される場合は、図１に示される発熱体１０２０が図３に示される構造物１３２０として用いられ、図１に示される断熱マイカシート１０２１が図３に示されるシート１３２１として用いられ、図１に示される第１の巻き付け体１０８０が得られる。
【００３０】
断熱マイカシート１０２２を第１の巻き付け体１０８０の外周面１１００に巻き付ける作業を自動化するために巻き付け装置１３００が準備される場合は、図１に示される第１の巻き付け体１０８０が図３に示される構造物１３２０として用いられ、図１に示される断熱マイカシート１０２２が図３に示されるシート１３２１として用いられ、図１に示される第２の巻き付け体１１２０が得られる。
【００３１】
耐熱カーボンシート１０２３を第２の巻き付け体１１２０の外周面１１４０に巻き付ける作業を自動化するために巻き付け装置１３００が準備される場合は、図１に示される第２の巻き付け体１１２０が図３に示される構造物１３２０として用いられ、図１に示される耐熱カーボンシート１０２３が図３に示されるシート１３２１として用いられ、図１に示される第３の巻き付け体１１６０が得られる。
【００３２】
絶縁マイカシート１０２４を第３の巻き付け体１１６０の外周面１１８０に巻き付ける作業を自動化するために巻き付け装置１３００が準備される場合は、図１に示される第３の巻き付け体１１６０が図３に示される構造物１３２０として用いられ、図１に示される絶縁マイカシート１０２４が図３に示されるシート１３２１として用いられ、第４の巻き付け体１２００が得られる。
【００３３】
３  巻き付け装置の構造
巻き付け装置１３００は、図３及び図４に示されるように、ターンテーブル１３４０、ストッカー１３４１、第１のテーブル１３４２、第２のテーブル１３４３、第３のテーブル１３４４、第４のテーブル１３４５、搬送機構１３４６、貼り付け機構１３４７、回転機構１３４８、スライド機構１３４９及び回転機構１３５０を備える。
【００３４】
構造物１３２０は、円筒状であり、中心軸１３６０の周りを一周する外周面１３８０を有する。
【００３５】
ターンテーブル１３４０は、構造物１３２０を立てたまま、構造物１３２０を搬入位置１４００から巻き付け位置１４０１を経由して搬出位置１４０２まで搬送する。
【００３６】
ターンテーブル１３４０の上面１４２０には、第１の保持孔１４４１、第２の保持孔１４４２、第３の保持孔１４４３及び第４の保持孔１４４４が形成される。保持孔の数が増減されてもよい。第１の保持孔１４４１、第２の保持孔１４４２、第３の保持孔１４４３及び第４の保持孔１４４４の各々は、構造物１３２０の下端部１４６０の形状に適合する形状を有する。構造物１３２０の下端部１４６０が第１の保持孔１４４１、第２の保持孔１４４２、第３の保持孔１４４３又は第４の保持孔１４４４に挿入された場合は、構造物１３２０が立てられ、構造物１３２０の中心軸１３６０が鉛直方向と平行にされる。
【００３７】
ターンテーブル１３４０は、回転軸１４８０の周りに回転する。保持孔１４４１，１４４２，１４４３及び１４４４の各々は、回転軸１４８０の周りを周回し、搬入位置１４００、巻き付け位置１４０１及び搬出位置１４０２を巡回する。これにより、下端部１４６０が第１の保持孔１４４１、第２の保持孔１４４２、第３の保持孔１４４３又は第４の保持孔１４４４に挿入された構造物１３２０は、立てられたまま、搬入位置１４００から巻き付け位置１４０１を経由して搬出位置１４０２まで搬送される。
【００３８】
ターンテーブル１３４０が、構造物１３２０を立てたまま構造物１３２０を巻き付け位置１４０１に一時的に配置できる他の種類の機構に置き換えられてもよい。例えば、ターンテーブル１３４０が、保持孔が形成された保持台及びロボットアームを備える機構に置き換えられてもよい。当該機構においては、ロボットアームが、構造物１３２０を立てたまま構造物１３２０を搬入位置から巻き付け位置１４０１まで搬送し、構造物１３２０の下端部１４６０を巻き付け位置１４０１にある保持孔に挿入し、構造物１３２０を立てたまま構造物１３２０を巻き付け位置１４０１から搬出位置まで搬送する。
【００３９】
ストッカー１３４１は、複数枚のシート１５００をストックする。複数枚のシート１５００の各々は、矩形状であり、可撓性を有する。複数枚のシート１５００の各々が矩形状でなくてもよい。複数枚のシート１５００は、水平面上に平積みされる。このため、複数枚のシート１５００の各々は、水平になっている。これにより、複数枚のシート１５００が安定してストックされる。
【００４０】
第１のテーブル１３４２、第２のテーブル１３４３、第３のテーブル１３４４及び第４の１３４５の各々は、保持面１５２０を有し、シート１３２１を真空吸着等により保持面１５２０に保持できるように構成される。第１のテーブル１３４２、第２のテーブル１３４３、第３のテーブル１３４４及び第４の１３４５の各々は、保持面１５２０が水平方向を向く場合でもシート１３２１が保持面１５２０から自重で剥がれ落ちない強さでシート１３２１を保持面１５２０に保持できるように構成され、シート１３２１を保持面１５２０から損傷なく剥がすことができる強さでシート１３２１を保持面１５２０に保持できるように構成される。
【００４１】
第１のテーブル１３４２、第２のテーブル１３４３、第３のテーブル１３４４及び第４の１３４５の各々は、位置決め構造１５４０を備える。
【００４２】
位置決め構造１５４０は、保持面１５２０から突出し、シート１３２１が定位置に配置された場合にシート１３２１の隣接する第１の辺１５６０及び第２の辺１５６１に当たる。これにより、シート１３２１が定位置に位置決めされる。位置決め構造１５４０が変更されてもよい。例えば、位置決め構造１５４０が、シート１３２１の平面形状に適合する平面形状を有する浅い窪みであってもよい。
【００４３】
位置決め構造１５４０は、第２の位置１５８１に配置されたテーブル（図４においては第２のテーブル１３４３）の保持面１５２０にシート１３２１が保持された場合にシート１３２１の第１の辺１５６０が水平方向と平行になるようにシート１３２１を定位置に配置する。
【００４４】
搬送機構１３４６は、複数枚のシート１５００の最上部にある１枚のシート１３２１を持ち上げ、持ち上げたシート１３２１をストッカー１３４１から第１の位置１５８０に配置されたテーブル（図４においては第１のテーブル１３４２）の保持面１５２０まで搬送する。
【００４５】
複数枚のシート１５００の各々はストッカー１３４１において水平になっており、第１の位置１５８０に配置されたテーブルの保持面１５２０は水平面になっているため、搬送機構１３４６がストッカー１３４１から第１の位置１５８０に配置されたテーブルの保持面１５２０までシート１３２１を搬送する場合は、シート１３２１を水平にしたままシート１３２１を搬送できる。シート１３２１を水平にしたままシート１３２１を搬送できることは、搬送の途上におけるシート１３２１の姿勢の変更を不要にし、搬送の途上におけるシート１３２１の損傷を抑制することに寄与する。
【００４６】
貼り付け機構１３４７は、第１の位置１５８０に配置されたテーブルの保持面１５２０に保持されたシート１３２１の一方の主面１６００に第１の両面テープ１６２０及び第２の両面テープ１６２１を張り付ける。貼り付け機構１３４７は、第１の位置１５８０に配置されたテーブルの保持面１５２０に保持されたシート１３２１の巻き始め端１６４０及び巻き終わり端１６４１にそれぞれ第１の両面テープ１６２０及び第２の両面テープ１６２１を貼り付ける。
【００４７】
回転機構１３４８は、回転軸１６６０の周りに第１のテーブル１３４２、第２のテーブル１３４３、第３のテーブル１３４４及び第４の１３４５を回転させる。第１のテーブル１３４２、第２のテーブル１３４３、第３のテーブル１３４４及び第４の１３４５の各々は、回転軸１６６０の周りを周回し、第１の位置１５８０、第２の位置１５８１、第３の位置１５８２及び第４の位置１５８３を巡回する。
【００４８】
図５から図８までの各々は、テーブル等の配置を示す模式図であり、断面図である。
【００４９】
図５に示されるように、第１のテーブル１３４２が第１の位置１５８０に配置された場合は、第２のテーブル１３４３、第３のテーブル１３４４及び第４のテーブル１３４５が、それぞれ、第２の位置１５８１、第３の位置１５８２及び第４の位置１５８３に配置される。図６に示されるように、第４のテーブル１３４５が第１の位置１５８０に配置された場合は、第１のテーブル１３４２、第２のテーブル１３４３及び第３のテーブル１３４４が、それぞれ、第２の位置１５８１、第３の位置１５８２及び第４の位置１５８３に配置される。図７に示されるように、第３のテーブル１３４４が第１の位置１５８０に配置された場合は、第４のテーブル１３４５，第１のテーブル１３４２及び第２のテーブル１３４３が、それぞれ、第２の位置１５８１、第３の位置１５８２及び第４の位置１５８３に配置される。図８に示されるように、第２のテーブル１３４３が第１の位置１５８０に配置された場合は、第３のテーブル１３４４、第４のテーブル１３４５及び第１のテーブル１３４２が、それぞれ、第２の位置１５８１、第３の位置１５８２及び第４の位置１５８３に配置される。
【００５０】
第１の位置１５８０に配置されたテーブルの保持面１５２０は、図３から図７までに示されるように、鉛直方向上方を向く。第２の位置１５８１に示されたテーブルの保持面１５２０は、図３から図７までに示されるように、水平方向を向く。
【００５１】
スライド機構１３４９は、テーブルを第２の位置１５８１から巻き付け位置１４０１までスライドさせ、テーブルを巻き付け位置１４０１から第２の位置１５８１までスライドさせる。
【００５２】
４  巻き付け体を生産する方法
巻き付け装置１３００を用いて巻き付け体を生産する方法を説明する。
【００５３】
巻き付け体が生産される場合は、搬入位置１４００に搬入されてきた構造物１３２０の下端部１４６０が第１の保持孔１４４１、第２の保持孔１４４２、第３の保持孔１４４３又は第４の保持孔１４４４に挿入され、構造物１３２０が立てられる。これにより、構造物１３２０の中心軸１３６０が鉛直方向と平行にされる。ターンテーブル１３４０は、構造物１３２０を立てたまま、構造物１３２０を搬入位置１４００から巻き付け位置１４０１まで搬送する。ターンテーブル１３４０は、構造物１３２０の外周面１３８０へのシート１３２１の巻き付けが完了するまで、構造物１３２０を立てたまま、構造物１３２０を巻き付け位置１４０１に停留させる。
【００５４】
構造物１３２０の搬送とは別に、回転機構１３４８が、第１のテーブル１３４２、第２のテーブル１３４３、第３のテーブル１３４４又は第４のテーブル１３４５が第１の位置１５８０に配置されるように第１のテーブル１３４２、第２のテーブル１３４３、第３のテーブル１３４４及び第４のテーブル１３４５を回転させる。これにより、第１の位置１５８０に配置されたテーブルの保持面１５２０が鉛直方向上方を向く。第１のテーブル１３４２、第２のテーブル１３４３、第３のテーブル１３４４又は第４のテーブル１３４５が第１の位置１５８０に既に配置されている場合は、第１のテーブル１３４２、第２のテーブル１３４３、第３のテーブル１３４４及び第４の１３４５の回転が省略されてもよい。
【００５５】
続いて、搬送機構１３４６が、ストッカー１３４１から、第１の位置１５８０に設置されたテーブルの保持面１５２０まで、シート１３２１を搬送し、第１の位置１５８０に設置されたテーブルの保持面１５２０にシート１３２１を載せる。これにより、シート１３２１を水平にした状態及び第１の位置１５８０に設置されたテーブルの保持面１５２０を鉛直方向上方に向けた状態を維持したまま第１の位置１５８０に設置されたテーブルの保持面１５２０にシート１３２１が保持される。
【００５６】
続いて、貼り付け機構１３４７が、シート１３２１に第１の両面テープ１６２０及び第２の両面テープ１６２１を貼り付ける。第１の両面テープ１６２０及び第２の両面テープ１６２１の各々は、シート１３２１が構造物１３２０の外周面１３８０に巻き付けられた場合に構造物１３２０における軸方向に延びるようにシート１３２１に張り付けられる。第１の両面テープ１６２０をシート１３２１に張り付けることに代えて、第１の両面テープ１６２０以外の接合媒体をシート１３２１に付加してもよい。例えば、接着剤がシート１３２１に塗布されてもよい。同様に、第２の両面テープ１６２１をシート１３２１に張り付けることに代えて、第２の両面テープ１６２１以外の接合媒体をシート１３２１に付加してもよい。例えば、接着剤がシート１３２１に塗布されてもよい。第１の両面テープ１６２０及び第２の両面テープ１６２１は、シート１３２１が構造物１３２０の外周面１３８０に巻き付けられる前にシート１３２１に張り付けられればよく、例えばシート１３２１を保持するテーブルが第１の位置１５８０から第２の位置１５８１へ移動した後に第１の両面テープ１６２０及び第２の両面テープ１６２１がシート１３２１に張り付けられてもよい。巻き始め端１６４０及び巻き終わり端１６４１以外に接合媒体が付加されてもよい。例えば、シート１３２１の一方の主面１６００の全体に接合媒体が付加されてもよい。
【００５７】
続いて、回転機構１３４８が、第１のテーブル１３４２、第２のテーブル１３４３、第３のテーブル１３４４及び第４のテーブル１３４５を回転軸１６６０の周りに９０度回転させ、シート１３２１を保持するテーブルを第１の位置１５８０から第２の位置１５８１へ移動させる。これにより、シート１３２１が保持面１５２０に保持された状態を維持したまま保持面１５２０が水平方向に向けられる。
【００５８】
続いて、スライド機構１３４９が、シート１３２１を保持するテーブルを第２の位置１５８１から巻き付け位置１４０１までスライドさせ、第１の両面テープ１６２０を構造物１３２０の外周面１３８０に接触させる。これにより、シート１３２１を保持面１５２０に保持した状態及び保持面１５２０を水平方向に向けた状態を維持したまま、シート１３２１の巻き始め端１６４０が構造物１３２０の外周面１３８０に第１の両面テープ１６２０を介して接合される。シート１３２１の巻き始め端１６４０が構造物１３２０の外周面１３８０に接合されるときも、構造物１３２０は立てられたままになっているため、構造物１３２０の中心軸１３６０は鉛直方向と平行にされたままになっている。第１の両面テープ１６２０は、シート１３２１の巻き始め端１６４０を構造物１３２０の外周面１３８０に接合する接合媒体であるから、第１の両面テープ１６２０をシート１３２１の一方の主面１６００ではなく構造体１３２０の外周面１３８０に張り付けた場合にも同様の接合を行うことができる。
【００５９】
続いて、回転機構１３５０は、シート１３２１の巻き始め端１６４０が構造物１３２０の外周面１３８０に接合された後に、構造物１３２０の中心軸１３６０の周りに構造物１３２０を回転させる。これにより、保持面１５２０からシート１３２１を剥がしながら構造物１３２０の外周面１３８０にシート１３２１を巻き付けることができる。構造物１３２０が回転させられている間も、構造物１３２０は立てられたままになっているため、構造物１３２０の中心軸１３６０は鉛直方向と平行にされたままになっている。また、構造物１３２０が回転させられている間は、スライド機構１３４９がテーブルを保持位置に停留させるため、保持面１５２０は水平方向に向けられたままになっている。
【００６０】
シート１３２１の第１の辺１５６０は位置決め構造１５４０により水平方向と平行にされているため、シート１３２１が構造物１３２０の外周面１３８０に巻き付けられる場合に、巻き付けが進行するにつれて構造物１３２０における軸方向に第１の辺１５６０の位置がずれることは抑制される。このため、巻き付けられたシート１３２１がたけのこ状になることはない。
【００６１】
図９及び図１０の各々は、巻き始め端、巻き終わり端等を示す。図９は、シートの周回数が２周である場合を示す。図１０は、シートの周回数が一周である場合を示す。
【００６２】
シート１３２１の周回数が２周である場合には、構造物１３２０の外周面１３８０へのシート１３２１の巻き付けが完了するときに、図９に示されるように、シート１３２１の巻き終わり端１６４１が第２の両面テープ１６２１を介してシート１３２１の他方の主面１６０１に接合される。シート１３２１の周回数が２周でない場合であっても、シート１３２１の周回数が一周より多い場合には同様の接合が行われる。
【００６３】
シート１３２１の周回数が一周である場合には、構造物１３２０の外周面１３８０へのシート１３２１の巻き付けが完了するときに、図１０に示されるように、シート１３２１の巻き終わり端１６４１が第２の両面テープ１６２１を介して構造物１３２０の外周面１３８０に接合される。シート１３２１の周回数が一周でない場合であっても、シート１３２１の周回数が一周未満である場合には同様の接合が行われる。第２の両面テープ１６２１は、シート１３２１の巻き終わり端１６４１を構造物１３２０の外周面１３８０に接合する接合媒体であるため、第２の両面テープ１６２１をシート１３２１の一方の主面１６００ではなく構造体の外周面１３８０に張り付けた場合にも同様の接合を行うことができる。
【００６４】
シート１３２１の巻き終わり端１６４１が構造物１３２０の外周面１３８０又はシート１３２１の他方の主面１６０１に接合されることにより、シート１３２１が構造物１３２０に固定され、構造物１３２０及びシート１３２１を備えシート１３２１が外周面１３８０に巻き付けられた巻き付け体が得られる。
【００６５】
シート１３２１が構造物１３２０に固定された後に、スライド機構１３４９が、テーブルを巻き付け位置１４０１から第２の位置１５８１へスライドする。
【００６６】
巻き付け装置１３００が２個以上のテーブルを備えることは、一のテーブルを第２の位置１５８１から巻き付け位置１４０１を経由して再び第２の位置１５８１まで搬送する間に第１の位置１５８０に配置された他のテーブルの保持面１５２０に新たなシート１３２１を保持させることを可能にし、生産性を向上することに寄与する。ただし、シート１３２１が剥がされたテーブルを第１の位置１５８０まで搬送し第１の位置１５８０に配置されたテーブルの保持面１５２０に新たなシート１３２１を保持させることも許される。この場合は、巻き付け装置１３００が２個以上のテーブルを備える必要はない。
【００６７】
テーブルのスライドとは別に、回転機構１３４８が、構造物１３２０の回転を停止し、ターンテーブル１３４０が、外周面１３８０にシート１３２１が巻き付けられた構造物１３２０を巻き付け位置１４０１から搬出位置１４０２まで搬送する。これにより、巻き付け体が搬出位置１４０２から搬出される。
【００６８】
上記の発明の詳細な説明は、全部の局面において例示であって本発明を限定しない。したがって、本発明の範囲からはずれることなく無数の修正及び変形が案出されうる。
【符号の説明】
【００６９】
１０００  多重巻き付け体
１０２０  発熱体
１０２１  断熱マイカシート
１０２２  断熱マイカシート
１０２３  耐熱カーボンシート
１０２４  絶縁マイカシート
１０８０  第１の巻き付け体
１１２０  第２の巻き付け体
１１６０  第３の巻き付け体
１２００  第４の巻き付け体
１３００  巻き付け装置
１３２０  構造物
１３２１  シート
１３４２  第１のテーブル
１３４３  第２のテーブル
１３４４  第３のテーブル
１３４５  第４のテーブル
１３４６  搬送機構
１３４７  貼り付け機構
１３４８  回転機構
１３４９  スライド機構
１３５０  回転機構
１５２０  保持面
１５４０  位置決め構造
１６２０  第１の両面テープ
１６２１  第２の両面テープ
１６４０  巻き始め端
１６４１  巻き終わり端
【要約】      （修正有）【課題】水平にされたシートを中心軸が鉛直方向に平行にされた構造物の外周面に巻き付ける場合にシートの損傷を抑制する生産する方法を提供する。【解決手段】巻き付け体においては、シート１３２１が構造物１３２０の外周面に巻き付けられる。中心軸１３６０の周りを一周する外周面を有する構造物が準備され、構造物の中心軸が鉛直方向と平行にされる。また、シートが準備され、シートが水平にされる。さらに、保持面を有するテーブル１３４０が準備され、テーブルの保持面が鉛直方向上方に向けられる。シートがテーブルの保持面に保持される。テーブルの保持面が水平方向に向けられる。シートの巻き始め端が構造物の外周面に接合される。ソートの巻き始め端を構造物の外周面に接合した後に構造物の中心軸の周りに構造物を回転させ、シートをテーブルの保持面から剥がしながらシートが構造物の外周面に巻き付ける。これにより、巻き付け体が得られる。【選択図】図３【図１】
0005927326.tif 000002
【図２】
0005927326.tif 000003
【図３】
0005927326.tif 000004
【図４】
0005927326.tif 000005
【図５】
0005927326.tif 000006
【図６】
0005927326.tif 000007
【図７】
0005927326.tif 000008
【図８】
0005927326.tif 000009
【図９】
0005927326.tif 000010
【図１０】
0005927326.tif 000011